(57)【要約】【課題】浴槽への湯張り動作中の出湯栓による割込み給湯が判別可能となる給湯システムを提供する。【解決手段】貯湯タンク３１から湯水を導出する出湯管２に燃焼給湯器１０を直列に接続する。出湯管２を燃焼給湯器１０の上流側と下流側とで連通させる出湯バイパス管３７と、出湯バイパス管３７を開閉するバイパス弁３８と、燃焼給湯器１０の下流側と出湯バイパス管３７の終端との間の出湯管２から分岐して浴槽に接続された湯張り管１８と、湯張り管１８を開閉する湯張り弁１９とを設ける。出湯栓３から目標給湯温度の湯水を供給する一般給湯制御と湯張り管１９から浴槽に目標湯張り温度の湯水を供給する湯張り制御とを選択的に行う制御手段５０を設ける。制御手段５０は、湯張り制御を行っている間、バイパス弁３８を閉弁状態に維持する。【選択図】図１
2011153797.tif 000002
【特許請求の範囲】
【請求項１】
貯湯タンクと、
前記貯湯タンク内の湯水を加熱するタンク用加熱手段と、
前記貯湯タンク内の湯水を導出して終端に出湯栓が接続される出湯管と、
前記貯湯タンクに給水する給水管と、
前記出湯管の途中に設けられ、前記出湯管を流通する湯水をバーナにより加熱する燃焼給湯器と、
前記出湯管を前記燃焼給湯器の上流側と下流側とで連通させる出湯バイパス管と、
前記出湯バイパス管を開閉するバイパス弁と、
前記燃焼給湯器の下流側と前記出湯バイパス管の終端との間の前記出湯管から分岐して浴槽に接続された湯張り管と、
前記湯張り管を開閉する湯張り弁と、
前記出湯栓から供給する湯水の目標給湯温度を設定する給湯温度設定手段と、
前記湯張り管から供給する湯水の目標湯張り温度を設定する湯張り温度設定手段と、
前記湯張り弁を閉弁状態として前記出湯栓から前記目標給湯温度の湯水を供給する一般給湯制御と前記湯張り弁を開弁状態として前記湯張り管から前記浴槽に前記目標湯張り温度の湯水を供給する湯張り制御とを選択的に行う制御手段とを備え、
前記制御手段は、前記湯張り制御を行っている間、前記バイパス弁を閉弁状態に維持することを特徴とする給湯システム。
【請求項２】
前記出湯バイパス管の始端と前記燃焼給湯器の上流側との間の前記出湯管に設けられて該出湯管を流通する湯水の総水量を検出する給湯水量センサと、
前記湯張り管に設けられて湯張り水量を検出する湯張り水量センサとを備え、
前記制御手段は、前記湯張り制御中に前記総水量から湯張り水量を除いた水量が所定量以上となったとき、前記一般給湯制御に切り換えることを特徴とする請求項１記載の給湯システム。
【発明の詳細な説明】
【技術分野】
【０００１】
本発明は、加熱された湯を貯留する貯湯タンクの下流側に、瞬間加熱式の燃焼給湯器を直列に接続した給湯システムに関する。
【背景技術】
【０００２】
従来、加熱された湯を貯留する貯湯タンクの下流側に、瞬間加熱式の燃焼給湯器を直列に接続した給湯システムが知られている（例えば、特許文献１参照）。このように、貯湯タンクと燃焼給湯器を直列に接続することによって、貯湯タンクの湯切れが生じたときであっても、燃焼給湯器を作動させることで目標給湯温度での給湯を継続して行うことができる。
【０００３】
また、上記従来の給湯システムにおいては、出湯管の終端にカラン等の出湯栓が接続されており、更に、出湯栓の上流側の出湯管から分岐する湯張り管により浴槽の湯張りが行えるようになっている。
【先行技術文献】
【特許文献】
【０００４】
【特許文献１】特開平１０−１９６９８３号公報
【発明の概要】
【発明が解決しようとする課題】
【０００５】
しかし、上記従来の給湯システムの構成では、貯湯タンクから燃焼給湯器を経由して出湯管の終端に至る湯の流通経路が長くなる。そのため、当該流通経路における圧力損失が大きくなって十分な給湯流量が得られないだけでなく、燃焼給湯器の燃焼が停止状態で貯湯タンクから出湯した湯は、燃焼給湯器を通過する際の放熱により湯の温度が低下する不都合がある。
【０００６】
そこで、湯水の流通経路長を短縮させるべく燃焼給湯器を迂回して燃焼給湯器の上流側と下流側で出湯管を連通するバイパス管と、このバイパス管を開閉するバイパス弁を設け、貯湯タンクからの湯をバイパス管を経由してカラン等の出湯栓に供給することが考えられる。そして、貯湯タンクの湯切れが生じていないときには、バイパス弁を開弁し貯湯タンクからの湯をバイパス管に流通させることで湯の流通経路を短縮させることができ、燃焼給湯器を流通することによる湯の圧力損失や放熱を回避することができる。
【０００７】
更に、貯湯タンクの湯切れが生じていないときには、出湯栓が閉栓していてもバイパス弁を開弁状態としておくことにより、出湯栓が開栓した後に極めて短時間で貯湯タンクの湯が出湯栓から供給され、迅速な給湯が行える利点がある。
【０００８】
ところで、上記従来の給湯システムのように燃焼給湯器の内部に湯張り管を備えるものに、燃焼給湯器を迂回させる前記バイパス管を設けた場合であって、浴槽への湯張り中に出湯栓からの給湯が開始されたときには、湯張り時に供給される湯量に出湯栓からの給湯量が加わるために貯湯タンクから出湯する総水量が増加する。
【０００９】
しかし、浴槽への湯張り中に出湯栓からの給湯が開始されたとき、上記の迅速な給湯のために出湯栓が閉栓状態のときからバイパス弁が開弁状態とされていると、前記バイパス管を介して大半の湯が出湯栓に向かい、湯張り管が設けられている燃焼給湯器側の出湯管を流れる湯の流量が減少する。そして、例えば、燃焼給湯器側の出湯管の流量増加により湯張り中における出湯栓からの給湯（所謂割込み給湯）を判別しようとしても、流量が減少することによりそれを判別することは困難となる。
【００１０】
そして、更に、出湯栓から供給する湯水の目標給湯温度と、湯張り管から供給する湯水の目標湯張り温度とで異なる温度が設定されている場合には、湯張り中における出湯栓からの給湯を判別することができないために、出湯栓から供給する湯水の温度を目標給湯温度とする制御が行われず、目標湯張り温度による制御が継続されて出湯栓から所望の温度の湯が得られないおそれがある。
【００１１】
上記の点に鑑み、本発明は、第１には浴槽への湯張り動作中の出湯栓による割込み給湯が判別可能となる給湯システムを提供することを目的とし、第２には湯張り動作中の出湯栓による割込み給湯に応じて出湯栓から目標給湯温度の湯を確実に得ることが可能となる給湯システムを提供することを目的とする。
【課題を解決するための手段】
【００１２】
本発明の給湯システムは、貯湯タンクと、前記貯湯タンク内の湯水を加熱するタンク用加熱手段と、前記貯湯タンク内の湯水を導出して終端に出湯栓が接続される出湯管と、前記貯湯タンクに給水する給水管と、前記出湯管の途中に設けられ、前記出湯管を流通する湯水をバーナにより加熱する燃焼給湯器と、前記出湯管を前記燃焼給湯器の上流側と下流側とで連通させる出湯バイパス管と、前記出湯バイパス管を開閉するバイパス弁と、前記燃焼給湯器の下流側と前記出湯バイパス管の終端との間の前記出湯管から分岐して浴槽に接続された湯張り管と、前記湯張り管を開閉する湯張り弁と、前記出湯栓から供給する湯水の目標給湯温度を設定する給湯温度設定手段と、前記湯張り管から供給する湯水の目標湯張り温度を設定する湯張り温度設定手段と、前記湯張り弁を閉弁状態として前記出湯栓から前記目標給湯温度の湯水を供給する一般給湯制御と前記湯張り弁を開弁状態として前記湯張り管から前記浴槽に前記目標湯張り温度の湯水を供給する湯張り制御とを選択的に行う制御手段とを備え、前記制御手段は、前記湯張り制御を行っている間、前記バイパス弁を閉弁状態に維持することを特徴とする。
【００１３】
本発明によれば、前記制御手段が湯張り制御を行っている間、該制御手段は前記バイパス弁を閉弁状態に維持する。これにより、浴槽への湯張り中に出湯栓からの給湯が開始されても、貯湯タンクから出湯された湯水は出湯バイパス管には流れることなく湯張り管が設けられている燃焼給湯器側の出湯管を流れる。従って、湯張り中においては、出湯栓からの給湯（所謂割込み給湯）に伴い燃焼給湯器側の出湯管の流量増加を得ることができ、湯張り中における出湯栓からの給湯（所謂割込み給湯）の判別を容易に行うことが可能となる。
【００１４】
更に、本発明の給湯システムにおいては、前記出湯バイパス管の始端と前記燃焼給湯器の上流側との間の前記出湯管に設けられて該出湯管を流通する湯水の総水量を検出する給湯水量センサと、前記湯張り管に設けられて湯張り水量を検出する湯張り水量センサとを備え、前記制御手段は、前記湯張り制御中に前記総水量から湯張り水量を除いた水量が所定量以上となったとき、前記一般給湯制御に切り換えることが好ましい。これにより、湯張り中における出湯栓からの給湯（所謂割込み給湯）が確実に判別でき、湯張り中に出湯栓からの給湯が開始された場合には、湯張りを中断して出湯栓からの給湯を優先させることができる。従って、湯張り中における出湯栓からの給湯に際して目標湯張り温度から目標給湯温度に確実に切り換えられ、目標給湯温度の湯を確実に得ることができる。
【図面の簡単な説明】
【００１５】
【図１】本発明の実施形態における給湯システムの構成図。
【図２】図１に示した給湯システムにおける作動を示すフローチャート。
【図３】図１に示した給湯システムにおける作動を示すフローチャート。
【図４】図１に示した給湯システムにおける作動を示すフローチャート。
【発明を実施するための形態】
【００１６】
本発明の実施形態について、図面を参照して説明する。図１を参照して、本実施形態の給湯システムは、瞬間加熱式の燃焼給湯器１０と、タンクユニット３０と、ヒートポンプユニット６０とにより構成されている。
【００１７】
ヒートポンプユニット６０は、圧縮機７１、凝縮器７２、減圧器７３、及び蒸発器７４を、冷媒循環路７５で接続して構成されたヒートポンプ７０（本発明のタンク用加熱手段に相当する）を備えている。凝縮器７２は、貯湯タンク３１の上部及び下部に接続されたタンク循環路６４と接続され、冷媒循環路７５内の冷媒とタンク循環路６４内の湯水とを熱交換させることによって、タンク循環路６４内の湯水を加熱する。
【００１８】
タンク循環路６４には、貯湯タンク３１に貯められた湯水をタンク循環路６４内に循環させるための循環ポンプ６５と、凝縮器７２から貯湯タンク３１に供給される湯水の温度を検出する往きサーミスタ６６と、貯湯タンク３１から凝縮器７２に供給される湯水の温度を検出する戻りサーミスタ４１とが設けられている。
【００１９】
そして、マイクロコンピュータ等により構成されたヒートポンプコントローラ８０に、往きサーミスタ６６による温度検出信号が入力される。また、ヒートポンプコントローラ８０から出力される制御信号によって、ヒートポンプ７０と循環ポンプ６５の作動が制御される。
【００２０】
ヒートポンプコントローラ８０は、タンクコントローラ５０と通信可能に接続され、タンクコントローラ５０から貯湯加熱指示信号を受信したときに、タンクコントローラ５０から送信される貯湯上限温度及び戻りサーミスタ４１の検出温度のデータを用いて、往きサーミスタ６６の検出温度及び戻りサーミスタ４１の検出温度と、貯湯上限温度とに基づいて、循環ポンプ６５とヒートポンプ７０を作動させて貯湯タンク３１内の湯水を貯湯上限温度まで加熱する。
【００２１】
次に、タンクユニット３０は、貯湯タンク３１と、貯湯タンク３１の上部に接続された出湯管２と、貯湯タンク３１の下部及び出湯管２に接続された給水管１と、燃焼給湯器１０をバイパスして出湯管２を燃焼給湯器１０の上流側と下流側で連通する出湯バイパス管３７とを備えている。出湯バイパス管３７の終端が接続された出湯管２の出口にはカラン３（本発明における出湯栓に相当する）が設けられている。
【００２２】
さらに、タンクユニット３０は、貯湯タンク３１からヒートポンプユニット６０に供給される湯水の温度を検出する戻りサーミスタ４１と、貯湯タンク３１の上部の湯切れ検出位置の湯水の温度を検出する貯湯サーミスタ３２と、出湯管２の給水管１との接続箇所Ｘの上流側の付近に設けられた入湯サーミスタ３３と、給水管１の通水流量を検出する入水流量センサ４３と、貯湯タンク３１から出湯管２に出湯される湯の流量を検出するタンク流量センサ４６と、給水管１に設けられた入水サーミスタ４４と、貯湯タンク３１から出湯管２に供給される湯水の流量を変更する湯量可変弁３４と、給水管１から出湯管２に供給される水の流量を変更する水量可変弁３５と、給水管１に設けられた逆止弁付きの減圧弁４０と、出湯管２と給水管１との接続箇所Ｘと出湯バイパス管３７との間に設けられた混合サーミスタ３６と、出湯バイパス管３７を開閉するバイパス弁３８と、出湯バイパス管３７と出湯管２との接続箇所Ｙの下流側に供給される湯水の温度を検出する給湯出口サーミスタ３９とを備えている。
【００２３】
そして、マイクロコンピュータ等により構成されたタンクコントローラ５０に、貯湯サーミスタ３２、入湯サーミスタ３３、入水サーミスタ４４、混合サーミスタ３６、給湯サーミスタ３９、及び戻りサーミスタ４１による温度検出信号と、入水流量センサ４３及びタンク流量センサ４６による通水流量の検出信号とが入力される。また、タンクコントローラ５０から出力される制御信号によって、湯量可変弁３４、水量可変弁３５、及びバイパス弁３８の作動が制御される。
【００２４】
タンクコントローラ５０は、貯湯サーミスタ３２の検出温度を監視し、貯湯サーミスタ３２の検出温度が予め設定された貯湯下限温度以下になったとき、ヒートポンプコントローラ８０に対して、上述した貯湯加熱指示信号を送信する。そして、これにより、貯湯タンク３１内の湯水が、ヒートポンプユニット６０によって貯湯上限温度まで加熱される。
【００２５】
また、タンクコントローラ５０には、使用者の操作に応じて、希望する給湯温度（出湯管２の出口から供給される湯の温度）と風呂温度（後述する湯張り管１８を経由して浴槽に供給される湯の温度）を設定するための温度スイッチ（図示しない）や、一般給湯モード（後述する湯張り弁１９を閉弁して出湯管２の出口から湯を供給するモード）と、湯張りモード（湯張り弁１９を開弁して湯張り管１８から浴槽に湯を供給するモード）とを切換えるためのモード切換スイッチ（図示しない）等を備えたリモコン５１（本発明の給湯温度設定手段及び湯張り温度設定手段の機能を含む）が接続されている。
【００２６】
ここで、出湯管２は貯湯タンク３１の上部に接続され、給水管１は貯湯タンク３１の下部に接続されている。そのため、貯湯タンク３１から出湯管２に湯水が供給されると、それに応じて、貯湯タンク３１の下部に給水管１から水が供給される。そして、貯湯タンク３１内では、上部に高温の湯の層ができると共に下部に水の層ができる。貯湯タンク３１から湯を供給するに従って上部の高温の湯の層が減少していき、貯湯サーミスタ３２の検出温度が、予め設定された湯切れ判定温度以下となった場合に湯切れ状態となる。
【００２７】
タンクコントローラ５０は、貯湯サーミスタ３２の検出温度が予め設定された湯切れ判定温度以下であるときに、貯湯タンク３１が湯切れ状態であると判断する。なお、本実施形態においては、湯切れ判定温度は、リモコン５１により設定された目標給湯温度（一般給湯モードではリモコン５１により設定された給湯設定温度、湯張りモードではリモコン５１により設定された風呂設定温度）に設定される。
【００２８】
タンクコントローラ５０は、貯湯サーミスタ３２の検出温度が湯切れ判定温度よりも高いとき（湯切れが検出されないとき）に、入水流量センサ４３により所定の下限流量以上の通水が検出された場合には、混合サーミスタ３６又は給湯出口サーミスタ３９の検出温度が目標温度となるように、湯量可変弁３４と水量可変弁３５の開度を制御する混合温調制御を行う。このとき、タンクコントローラ５０は、一般給湯モードではバイパス弁３８を開弁し、湯張りモードではバイパス弁３８を閉弁する。
【００２９】
一方、貯湯サーミスタ３２の検出温度が湯切れ判定温度以下であるとき（湯切れが検出されたとき）に、入水流量センサ４３により下限水量以上の通水が検出された場合には、タンクコントローラ５０は、バイパス弁３８を閉弁して、貯湯タンク３１及び給水管１からの湯水を全て燃焼給湯器１０に供給する。この場合には、燃焼給湯器１０において、後述する給湯コントローラ２０による加熱温調制御が実行される。
【００３０】
次に、燃焼給湯器１０は、出湯管２の途中に設けられた熱交換器１１と、熱交換器１１を加熱するバーナ１２と、熱交換器１１をバイパスして、出湯管２を熱交換器１１の上流側と下流側で連通する給湯バイパス管１３と、出湯管２と給湯バイパス管１３の接続箇所Ｚの下流側で、浴槽（図示しない）と出湯管２を接続した湯張り管１８とを備えている。
【００３１】
出湯管２には、熱交換器１１側に供給される湯水の流量と給湯バイパス管１３側に供給される湯水の流量との分配比を変更するバイパスサーボ１４と、燃焼給湯器１０に供給される湯水の流量を調節する水量サーボ１５と、熱交換器１１及び給湯バイパス管１３に供給される湯水の流量を検出する給湯器流量センサ２１（本発明の給湯水量センサに相当する）と、出湯管２と給湯バイパス管１３の接続箇所Ｚの下流側に供給される湯の温度を検出する給湯器サーミスタ１６と、逆止弁１７とが設けられている。また、湯張り管１８には、湯張り管１８の通水流量を検出する湯張り流量センサ２２（本発明の湯張り水量センサに相当する）と、湯張り管１８を開閉する湯張り弁１９とが備えられている。
【００３２】
そして、マイクロコンピュータ等により構成された給湯コントローラ２０に、給湯器サーミスタ１６による温度検出信号と、給湯器流量センサ２１による通水流量の検出信号と、湯張り流量センサ２２による通水流量の検出信号とが入力される。また、給湯コントローラ２０から出力される制御信号によって、バイパスサーボ１４と、水量サーボ１５と、バーナ１２と、湯張り弁１９の作動が制御される。
【００３３】
給湯コントローラ２０は、タンクコントローラ５０と通信可能に接続され、タンクコントローラ５０から加熱許可を指示する信号を受信したときに加熱許可状態となる。そして、給湯器流量センサ２１により所定の下限流量以上の通水が検出されているときに、給湯器サーミスタ１６の検出温度が目標給湯温度となるように、バーナ１２の燃焼量を制御する加熱温調制御を実行する。また、タンクコントローラ５０から加熱禁止を指示する信号を受信したときに加熱禁止状態となり、加熱温調制御の実行が禁止される。
【００３４】
また、給湯コントローラ２０は、浴槽（図示しない）に所定量の湯を供給する湯張り運転を行なうとき（湯張りモード）には、湯張り弁１９を開弁して、湯張り流量センサ２２により検出される浴槽への湯の供給量を累積する。そして、浴槽への湯の供給量の累積値が前記所定量に達したときに、湯張り弁１９を閉弁して湯張り運転を終了する。
【００３５】
なお、本実施形態においては、給湯コントローラ２０とタンクコントローラ５０とにより、本発明の制御手段が構成されている。
【００３６】
次に、本発明の制御手段である給湯コントローラ２０及びタンクコントローラ５０の作動を説明する。
【００３７】
図２のＳＴＥＰ１でタンクユニット３０の電源がＯＮされるとＳＴＥＰ２に進み、タンクコントローラ５０は、湯量可変弁３４を全閉にすると共に、水量可変弁３５を全開にする。そして、タンクコントローラ５０は、続くＳＴＥＰ３でバイパス弁３８を開弁する。
【００３８】
次のＳＴＥＰ４で、タンクコントローラ５０は、入水流量センサ４３により下限流量以上の通水が検出される通水状態となるのを待つ。そして、通水状態となったときにＳＴＥＰ４からＳＴＥＰ５に進む。
【００３９】
ＳＴＥＰ５で、タンクコントローラ５０は、湯張りモードに設定されているか否かを判断する。そして、湯張りモードに設定されているときは図３のＳＴＥＰ１５に分岐し、湯張りモードに設定されていないとき（一般給湯モードに設定されているとき）には、ＳＴＥＰ６に進む。
【００４０】
ＳＴＥＰ６では、タンクコントローラ５０は、先ず湯張り弁１９を閉弁させ、ＳＴＥＰ７で、貯湯サーミスタ３２の検出温度が目標給湯温度以下である湯切れ状態であるか否かを判断する。そして、湯切れ状態であるときはＳＴＥＰ１２に分岐し、湯切れ状態でないときにはＳＴＥＰ８に進む。
【００４１】
ＳＴＥＰ８〜ＳＴＥＰ１０は、一般給湯モードで混合温調制御を実行するときの処理である。即ち、タンクコントローラ５０は、ＳＴＥＰ８でバイパス弁３８を開弁し、ＳＴＥＰ９で給湯コントローラ２０に対して加熱禁止を指示する信号を送信する。そして、続くＳＴＥＰ１０で、タンクコントローラ５０は、湯量可変弁３４と水量可変弁３５の開度を調整して、基本的には出湯管２の出口（カラン３）から供給される湯の温度が目標給湯温度になるように制御する（混合温調制御）。
【００４２】
そして、タンクコントローラ５０は、ＳＴＥＰ１１で、入水流量センサ４３により下限流量以上の通水が検出されていない止水状態となるまで、ＳＴＥＰ７〜ＳＴＥＰ１０又はＳＴＥＰ１２〜ＳＴＥＰ１４からなるループを繰り返し実行する。
【００４３】
ＳＴＥＰ１２〜ＳＴＥＰ１４は、一般給湯モードで加熱温調制御を実行するときの処理である。タンクコントローラ５０は、ＳＴＥＰ１２でバイパス弁３８を閉弁し、ＳＴＥＰ１３で給湯コントローラ２０に対して加熱許可を指示する信号を送信する。そして、続くＳＴＥＰ１４では、タンクコントローラ５０は、混合サーミスタ３６の検出温度が所定の混合設定温度となるように、湯量可変弁３４と水量可変弁３５の開度を調節する。このとき、燃焼給湯器１０側では、給湯器サーミスタ１６の検出温度が目標給湯温度となるように、バーナ１２の燃焼量が制御される（加熱温調制御）。
【００４４】
その後、ＳＴＥＰ１１で、タンクコントローラ５０は、入水流量センサ４３により下限流量以上の通水が検出されていない止水状態となったときに湯量可変弁３４と水量可変弁３５の動作を停止して現時点での開度に維持し、ＳＴＥＰ３に戻る。
【００４５】
次に、図３は、湯張りモードにおける処理である。湯張りモードでは、ＳＴＥＰ１５により燃焼給湯器１０において湯張り弁１９が開弁され、ＳＴＥＰ１６によりバイパス弁３８が閉弁される。これにより、貯湯タンク３１から出湯管２に供給される湯水と給水管１から出湯管２に供給される水とが全て燃焼給湯器１０側に供給されて、湯張り管１８を経由して浴槽に供給される状態となる。
【００４６】
次いで、タンクコントローラ５０は、ＳＴＥＰ１７で、貯湯タンク３１が湯切れ状態であるか否かを判断する。そして、貯湯タンク３１が湯切れ状態であるときはＳＴＥＰ２０に分岐し、湯切れ状態でないときにはＳＴＥＰ１８に進む。
【００４７】
ＳＴＥＰ１８及びＳＴＥＰ１９は、湯張りモードで混合温調制御を行うときの処理である。ＳＴＥＰ１８で、タンクコントローラ５０は、給湯コントローラ２０に対して、加熱禁止を指示する信号を送信し、これにより燃焼給湯器１０が加熱禁止状態となる。そして、次のＳＴＥＰ１９で、タンクコントローラ５０は、混合サーミスタ３６の検出温度が目標湯張り温度となるように、湯量可変弁３４と水量可変弁３５によって、貯湯タンク３１から出湯管２に供給される湯と給水管１から出湯管２に供給される水との混合比を調節する（混合温調制御）。そして、ＳＴＥＰ２２へ進む。
【００４８】
一方、ＳＴＥＰ２０及びＳＴＥＰ２１は、湯張りモードで加熱温調制御を行うときの処理である。ＳＴＥＰ２０で、タンクコントローラ５０は、給湯コントローラ２０に対して、加熱許可を指示する信号を送信し、これにより燃焼給湯器１０が加熱許可状態となる。そして、次のＳＴＥＰ２１で、タンクコントローラ５０は、混合サーミスタ３６の検出温度が所定の混合設定温度となるように、湯量可変弁３４と水量可変弁３５の開度を調節する。このとき、燃焼給湯器１０側では、給湯器サーミスタ１６の検出温度が目標給湯温度となるように、バーナ１２の燃焼量が制御される（加熱温調制御）。そして、ＳＴＥＰ２２へ進む。
【００４９】
ＳＴＥＰ２２においては、タンクコントローラ５０は給湯コントローラ２０を介して、割込み給湯がされたか否かを判定する。即ち、ＳＴＥＰ１６でバイパス弁３８が閉弁状態に維持されていることにより、湯張り中にカラン３が開栓されて給湯使用が発生すると、給湯器流量センサ２１により検出される出湯管２の総水量が増加する。そこで、ＳＴＥＰ２２では、給湯器流量センサ２１により検出された総水量から湯張り流量センサ２２により検出された湯張り水量を減算した値が、所定の割込み判定水量以上となったとき、タンクコントローラ５０は割込み給湯がされたと判断して図４のＳＴＥＰ２５に分岐し、所定の割込み判定水量未満であれば割込み給湯は行われていないとして、ＳＴＥＰ２３へ進む。
【００５０】
ＳＴＥＰ２３で、タンクコントローラ５０は、湯張りが完了していなければ、ＳＴＥＰ１７へ戻り、湯張りが完了したときにはＳＴＥＰ２４で湯張り弁１９を閉弁して、図２のＳＴＥＰ３へ戻る。
【００５１】
図４は、湯張りモードにおける湯張り動作中に、給湯使用（割込み給湯）されたときの処理である。ＳＴＥＰ２５では湯張り弁１９を閉弁し、これにより、湯張り動作が中断され、一般給湯モードと同様の処理が行われる。即ち、タンクコントローラ５０は、ＳＴＥＰ２７で、貯湯タンク３１が湯切れ状態であるか否かを判断する。そして、貯湯タンク３１が湯切れ状態であるときはＳＴＥＰ２９に分岐し、湯切れ状態でないときにはＳＴＥＰ２７に進む。
【００５２】
ＳＴＥＰ２７に進むと、タンクコントローラ５０は、給湯コントローラ２０に対して、加熱禁止を指示する信号を送信し、これにより燃焼給湯器１０が加熱禁止状態となる。そして、次のＳＴＥＰ２８で、前記ＳＴＥＰ１０と同様の処理（混合温調制御）を行い、ＳＴＥＰ３１へ進む。ＳＴＥＰ２９へ進むと、タンクコントローラ５０は、給湯コントローラ２０に対して、加熱許可を指示する信号を送信し、これにより燃焼給湯器１０が加熱許可状態となる。そして、次のＳＴＥＰ３０で、ＳＴＥＰ１４と同様の処理（加熱温調制御）を行い、ＳＴＥＰ３１へ進む。
【００５３】
そして、ＳＴＥＰ３１で、給湯器流量センサ２１により検出された総水量から湯張り流量センサ２２により検出された湯張り水量を減算した値が、所定の割込み判定水量以上であるばあいには、タンクコントローラ５０は、割込み給湯が続けられていると判断してＳＴＥＰ２６に戻り、所定の割込み判定水量未満である場合に割込み給湯が終了したとして、図３のＳＴＥＰ２３に戻る。ここで、図４のＳＴＥＰ３１からＳＴＥＰ２３に戻った場合、通常は、湯張りが中断されていたことにより湯張りは完了していないから、ＳＴＥＰ１７へ戻って湯張り動作が再開される。
【００５４】
以上のように、本実施形態の給湯システムによれば、湯張り動作中に割込み給湯が行われたか否かを確実に判定することができ、湯張り動作中の割込み給湯であっても、目標湯張り温度を目標給湯温度に確実に切り換えて所望の温度の給湯を行うことができる。
【００５５】
なお、本実施形態では、前記貯湯タンク３１内の湯水を加熱する手段としてヒートポンプ７０を使用する給湯システムを示したが、ソーラーシステム等の他のタンク用加熱手段を採用してもよい。
【符号の説明】
【００５６】
１…給水管、２…出湯管、３…カラン（出湯栓）、１０…燃焼給湯器、１８…湯張り管、１９…湯張り弁、２１…給湯器流量センサ（給湯水量センサ）、２２…湯張り流量センサ（湯張り水量センサ）、３１…貯湯タンク、３７…出湯バイパス管、３８…バイパス弁、５１…リモコン（給湯温度設定手段、湯張り温度設定手段）、５０…タンクコントローラ（制御手段）、７０…ヒートポンプ（タンク用加熱手段）。
【図１】
2011153797.tif 000003
【図２】
2011153797.tif 000004
【図３】
2011153797.tif 000005
【図４】
2011153797.tif 000006